(57)【要約】【課題】特殊な記録媒体や特別な回路を必要としないで、コンテンツ情報を十分に保護することができようにする。【解決手段】端末装置は、固有のシリアル番号を保持するものである。端末装置からサーバ装置にコンテンツ要求を送信する際には、そのシリアル番号を併せて送信する。サーバ装置は、端末装置から、コンテンツ要求およびシリアル番号を受信したら、要求されたコンテンツ情報を、そのシリアル番号を鍵として暗号化して、端末装置に送信する。端末装置は、その暗号化されたコンテンツ情報を受信し、内部記憶装置または外部記憶装置に格納する。さらに、端末装置は、その暗号化されたコンテンツ情報を、自己のシリアル番号を鍵として復号化する。【選択図】　　　　図７
2004048540.tif 000002
【特許請求の範囲】
【請求項１】
当該の端末装置に固有の情報を保持する端末装置において、通信ネットワークを通じてコンテンツ送信元からコンテンツ情報を取得する方法であって、
前記固有情報を付加して、前記コンテンツ送信元にコンテンツ要求を送信する工程と、
そのコンテンツ要求に応答して前記コンテンツ送信元から送信された、前記固有情報を鍵として暗号化されたコンテンツ情報を受信する工程と、
その暗号化されたコンテンツ情報を記憶装置に格納する工程と、
を備えるコンテンツ取得方法。
【請求項２】
請求項１のコンテンツ取得方法において、
前記固有情報を暗号化して前記コンテンツ送信元に送信するコンテンツ取得方法。
【請求項３】
当該の端末装置に固有の情報を保持する端末装置に対して、通信ネットワークを通じてコンテンツ情報を送信する方法であって、
前記端末装置からの、前記固有情報が付加されたコンテンツ要求を受信する工程と、
その受信した固有情報を鍵としてコンテンツ情報を暗号化する工程と、
その暗号化したコンテンツ情報を前記端末装置に送信する工程と、
を備えるコンテンツ送信方法。
【請求項４】
請求項３のコンテンツ送信方法において、
前記固有情報は、暗号化されて送信され、コンテンツ情報の暗号化に当たって復号化するコンテンツ送信方法。
【請求項５】
当該の端末装置に固有の情報を保持する手段と、
前記固有情報を付加して、通信ネットワーク上のコンテンツ送信元にコンテンツ要求を送信する手段と、
そのコンテンツ要求に応答して前記コンテンツ送信元から送信された、前記固有情報を鍵として暗号化されたコンテンツ情報を受信する手段と、
その暗号化されたコンテンツ情報を記憶する、内部記憶装置または外部記憶装置としての記憶手段と、
その暗号化されたコンテンツ情報を復号化するプログラムが格納された手段と、
を備える端末装置。
【請求項６】
請求項５の端末装置において、
前記固有情報が暗号化されて送信される端末装置。
【請求項７】
請求項５または６の端末装置において、
当該端末装置は、通信ネットワークに接続するベース装置と、このベース装置を介して通信ネットワーク上にアクセスして通信ネットワーク上の情報を受信する端末とからなる端末装置。
【請求項８】
当該の端末装置に固有の情報を保持する端末装置からの、当該固有情報が付加されたコンテンツ要求を受信する手段と、
その受信された固有情報を鍵としてコンテンツ情報を暗号化する手段と、
その暗号化されたコンテンツ情報を前記端末装置に送信する手段と、
を備えるコンテンツ送信装置。
【請求項９】
請求項８のコンテンツ送信装置において、
前記固有情報が、暗号化されて送信され、コンテンツ情報の暗号化に当たって復号化されるコンテンツ送信装置。
【発明の詳細な説明】
【０００１】
【発明の属する技術分野】
この発明は、インターネットなどの通信ネットワークを通じて送信元とクライアントとの間でコンテンツ情報を送受信する方法および装置に関する。
【０００２】
【従来の技術】
ＰＣ（Ｐｅｒｓｏｎａｌ　Ｃｏｍｐｕｔｅｒ）などの端末装置によってインターネット上の送信元のサーバ装置に、音楽ファイルや画像ファイルなどのデータファイル、またはゲームソフトや各種アプリケーションソフトなどのプログラムファイルからなるコンテンツ情報を要求し、これを受けて、送信元のサーバ装置からクライアント側の端末装置にコンテンツ情報を送信するシステムが考えられている。
【０００３】
この場合、コンテンツ情報としては、従来、各クライアントに対して、内容的にも、形式的にも、同じものが配布される。
【０００４】
【発明が解決しようとする課題】
しかしながら、従来のコンテンツ送受信方法では、各クライアントに対して、内容的にも、形式的にも、同じコンテンツ情報が配布されるので、ある端末装置でコンテンツ情報をダウンロードした場合に、何らかの方法で、そのコンテンツ情報を他の端末装置に移動することができた場合には、他の端末装置でも、そのコンテンツ情報のデータファイルを再生し、プログラムファイルを実行できてしまう。
【０００５】
そのため、コンテンツ情報を有料として、コンテンツ配布者が、許可した端末装置以外の端末装置でのコンテンツ情報の利用を制限したい場合でも、不正なコピーや再生などが容易になされてしまうことになり、コンテンツ情報の保護が不十分となる。
【０００６】
そこで、著作権保護対応のＩＣ記録メディアとして、出願人によって“マジックゲートメモリースティック”（登録商標）が考えられている。これは、当該メディアに記録するデータの暗号化、および当該メディアと当該メディア対応機器との間の相互認証によって、不正なコピーや再生などを防止するものである。
【０００７】
しかし、この場合、記録媒体として特殊な記録メディアを必要とし、端末装置にも特別な回路を必要とするので、他の記録媒体との間で互換性が得られないとともに、端末装置のコストアップを来たす。
【０００８】
そこで、この発明は、特殊な記録媒体や特別な回路を必要としないで、コンテンツ情報を十分に保護することができ、特に有料コンテンツ情報の配布に大きく寄与するコンテンツ取得方法およびコンテンツ送信方法を提供するものである。
【０００９】
【課題を解決するための手段】
この発明のコンテンツ取得方法は、
当該の端末装置に固有の情報を保持する端末装置において、通信ネットワークを通じてコンテンツ送信元からコンテンツ情報を取得する方法であって、
前記固有情報を付加して、前記コンテンツ送信元にコンテンツ要求を送信する工程と、
そのコンテンツ要求に応答して前記コンテンツ送信元から送信された、前記固有情報を鍵として暗号化されたコンテンツ情報を受信する工程と、
その暗号化されたコンテンツ情報を記憶装置に格納する工程と、
を備えるものである。
【００１０】
この発明のコンテンツ送信方法は、
当該の端末装置に固有の情報を保持する端末装置に対して、通信ネットワークを通じてコンテンツ情報を送信する方法であって、
前記端末装置からの、前記固有情報が付加されたコンテンツ要求を受信する工程と、
その受信した固有情報を鍵としてコンテンツ情報を暗号化する工程と、
その暗号化したコンテンツ情報を前記端末装置に送信する工程と、
を備えるものである。
【００１１】
上記のコンテンツ取得方法またはコンテンツ送信方法では、コンテンツ情報を要求した端末装置でダウンロードされたコンテンツ情報が他の端末装置に移動しても、当該のコンテンツ情報は、これを要求した端末装置に固有の情報を鍵として暗号化されていて、他の端末装置では復号化することができない。
【００１２】
したがって、コンテンツ情報を十分に保護することができる。しかも、記録媒体として、特殊な記録メディアを必要としないとともに、端末装置にも、コンテンツ復号化プログラムなどのソフトウェア以外に特別な回路を必要としない。
【００１３】
【発明の実施の形態】
〔コンテンツ送受信システムの実施形態：図１〜図８〕
（システム全体の概要：図１）
図１に、この発明のコンテンツ送受信システムの一実施形態の概要を示す。
【００１４】
このコンテンツ送受信システムは、クライアント側の端末装置９０と、コンテンツ送信元のサーバ装置１００とが、インターネット１１０によって接続され、端末装置９０からの要求によって、サーバ装置１００から端末装置９０にコンテンツ情報が送信されるものである。
【００１５】
さらに、この実施形態では、端末装置９０が、モデムを介して電話回線に接続されるなどによってインターネット１１０に接続することができるベース装置１０と、このベース装置１０との間の無線通信によってベース装置１０に対してコマンドを発行して、インターネット１１０に接続することができる表示端末５０とによって構成される。
【００１６】
端末装置９０は、固有のシリアル番号を保持するものである。そして、端末装置９０からサーバ装置１００にコンテンツ要求を送信する際には、そのシリアル番号を併せて送信する。サーバ装置１００は、端末装置９０から、コンテンツ要求およびシリアル番号を受信したら、要求されたコンテンツ情報を、そのシリアル番号を鍵として暗号化して、端末装置９０に送信する。
【００１７】
この場合の暗号アルゴリズムとしては、共通鍵暗号化で一般に用いられているＤＥＳ（Ｄａｔａ　Ｅｎｃｒｙｐｔｉｏｎ　Ｓｔａｎｄａｒｄ）暗号アルゴリズムなどを用いることができる。
【００１８】
端末装置９０は、この自己のシリアル番号を鍵として暗号化されたコンテンツ情報を受信し、内部記憶装置または外部記憶装置に格納する。さらに、端末装置９０は、その暗号化されたコンテンツ情報を、自己のシリアル番号を鍵として復号化し、コンテンツ情報を再生する。
【００１９】
（ベース装置および表示端末の外観構成：図２および図３）
図２は、ベース装置１０の一例の外観構成を示し、図３は、表示端末５０の一例の外観構成を示す。
【００２０】
図２に示すように、ベース装置１０は、正面部１２と後方部１４を接合して一体化した構造とされ、正面部１２の左右位置には、表示端末５０との間の無線通信用の平面状のアンテナ４５が設けられる。
【００２１】
アンテナ４５の一方は、ベース装置１０の前方側に半球面状の放射パターンを形成するものとされ、他方は、逆にベース装置１０の後方側に半球面状の放射パターンを形成するものとされて、一方および他方の受信レベル情報に基づいて実際に送信および受信を行うアンテナが選択されることによって、両者を合わせたものとして、全球面状の放射パターンを有するアンテナが形成されて、ベース装置１０と表示端末５０との位置関係の如何にかかわらず、ベース装置１０と表示端末５０との間の無線通信が良好に行われるように構成される。
【００２２】
正面部１２は、後方側に傾いたものとされ、その中央下部に、表示端末５０をベース装置１０に立て掛けるための支持体１６が設けられ、支持体１６の内側に、一対の充電端子１８が設けられる。また、後方部１４の下部背面には、後述のアンテナ端子や回線端子などの各種端子が設けられる。
【００２３】
図３に示すように、表示端末５０の正面には、ＬＣＤ（液晶ディスプレイ）５１が設けられ、その表示画面上には、タッチパネル５２が設けられ、ＬＣＤ５１の左右には、上部にスピーカ５３が設けられ、下部にベース装置１０との間の無線通信用の平面状のアンテナ５５が設けられる。
【００２４】
ベース装置１０のアンテナ４５と同様に、アンテナ５５の一方は、表示端末５０の前方側に半球面状の放射パターンを形成するものとされ、他方は、逆に表示端末５０の後方側に半球面状の放射パターンを形成するものとされて、一方および他方の受信レベル情報に基づいて実際に送信および受信を行うアンテナが選択されることによって、両者を合わせたものとして、全球面状の放射パターンを有するアンテナが形成されて、表示端末５０とベース装置１０との位置関係の如何にかかわらず、表示端末５０とベース装置１０との間の無線通信が良好に行われるように構成される。
【００２５】
表示端末５０の正面の右側部分には、スピーカ５３の下側に、インデックスボタン５４ａ、ジャンプボタン５４ｂ、およびチャンネルボタン５４ｃ，５４ｄが設けられる。
【００２６】
インデックスボタン５４ａは、これを押すことによって、ＬＣＤ５１上に図示するようなインデックス画面を表示するものであり、ユーザは、タッチペンまたは指で、いずれかのメニューにタッチすることによって、テレビの選局、ベース装置１０に接続された外部機器の操作、インターネットへの接続、メールの作成・送信、アルバムの作成・表示などを行うことができる。
【００２７】
ジャンプボタン５４ｂは、これを押すことによって、一つ前に受信していたテレビチャンネルを受信することができるものであり、チャンネルボタン５４ｃは、これを押すことによって、ＬＣＤ５１上に表示される操作画面が、テレビ→外部機器→インターネット→メール→アルバム→テレビの順に切り替えられるものであり、チャンネルボタン５４ｄは、これを押すことによって、ＬＣＤ５１上に表示される操作画面が、上記の順とは逆の順に切り替えられるものである。
【００２８】
アルバムとは、デジタルカメラなどで撮影してメモリカード５７に記録した画像を、ＬＣＤ５１上に表示し、ＬＣＤ５１上で加工し、ＬＣＤ５１上で作成したメールに添付し、あるいは、テレビの画像を静止画として、またはメールで受信した画像やインターネット上で取得した画像などを、表示端末５０内またはメモリカード５７に保存するなどである。
【００２９】
表示端末５０の右側面には、メモリカード５７が装着されるスロット５８が設けられ、底面には、一対の充電端子５６が設けられる。
【００３０】
表示端末５０の背面には、表示端末５０を自立させるためのＵ形のスタンド５９が開閉可能に取り付けられ、図では省略したが、スタンド５９で囲まれる部分にバッテリ収納部が設けられ、これにバッテリが収納される。
【００３１】
表示端末５０は、手に持って使用し、または、スタンド５９を開いて、適当な面上に適当な傾斜角で自立させて使用し、あるいは、ベース装置１０の正面部１２に立て掛けて使用することができる。
【００３２】
表示端末５０をベース装置１０に立て掛ける場合には、表示端末５０の充電端子５６が、ベース装置１０の充電端子１８に接触し、接続されることによって、表示端末５０に装着されたバッテリを、ベース装置１０によって充電することができる。
【００３３】
（ベース装置および表示端末の機能ブロック構成：図４および図５）
図４に、ベース装置１０の機能ブロック構成の一例を示す。制御部３０は、ＣＰＵ３１を備え、そのバス３２に、ＣＰＵ３１が実行すべきプログラムや固定データなどが書き込まれたＲＯＭ３３、およびＣＰＵ３１のワークエリアなどとして機能するＲＡＭ３４などが接続される。
【００３４】
アンテナ端子１１には、テレビ放送の受信用のアンテナ１が接続され、そのアンテナ１で受信されたテレビ放送信号が、チューナ２１で選局復調され、さらにデジタル映像データおよびデジタル音声データに変換されて、バス３２に送出される。
【００３５】
回線端子１３には、電話回線３が接続され、その回線端子１３が、モデム２３を介してバス３２に接続される。
【００３６】
また、ＡＤＳＬモデムやＣＡＴＶモデムなどの接続用のイーサネット（登録商標）端子１５が、インタフェース２５を介してバス３２に接続される。
【００３７】
外部機器接続用の端子１７には、外部機器７として、ＤＶＤプレーヤやハードディスクレコーダ、またはデジタルＣＳチューナなどが接続され、これからの映像データおよび音声データが、インタフェース２７を介してバス３２に送出される。
【００３８】
さらに、端子１９にＡＶマウス９が接続されるとともに、端子１９がインタフェース２９を介してバス３２に接続され、制御部３０からのコマンド信号によってＡＶマウス９の発光部から送出された赤外線遠隔操作信号が、外部機器７に設けられた受光部で受信されることによって、外部機器７が操作される。
【００３９】
一方、バス３２に、ＢＢＰ（Ｂａｓｅ　Ｂａｎｄ　Ｐｒｏｃｅｓｓｏｒ）４１が接続され、ＢＢＰ４１に、送受信部４２が接続され、送受信部４２に、上記のアンテナ４５が接続される。
【００４０】
ベース装置１０から表示端末５０に送信される信号は、ＢＢＰ４１でベースバンド処理された後、送受信部４２で変調され、無線周波数の信号に変換されて、送受信部４２からアンテナ４５を介して表示端末５０に送信される。
【００４１】
また、表示端末５０からベース装置１０に送信された無線周波数の信号は、アンテナ４５を介して送受信部４２で受信され、送受信部４２で周波数変換され、復調された後、ＢＢＰ４１でベースバンド処理されて、バス３２に取り込まれる。
【００４２】
図５に、表示端末５０の機能ブロック構成の一例を示す。制御部７０は、ＣＰＵ７１を備え、そのバス７２に、プログラムＲＯＭ７３、フラッシュメモリ７４、ＲＡＭ７５、およびユーザメモリ７６が接続される。図３に示したスロット５８にメモリカード５７が装着されたときには、そのメモリカード５７がバス７２に接続される。
【００４３】
プログラムＲＯＭ７３には、ＣＰＵ７１が実行すべき後述のコンテンツ取得処理ルーチンおよびコンテンツ復号化プログラムなどのプログラムや、必要な固定データなどが、あらかじめ書き込まれる。
【００４４】
フラッシュメモリ７４には、端末装置９０（ベース装置１０および表示端末５０）の出荷時に、当該の端末装置９０に固有のシリアル番号が書き込まれる。
【００４５】
ＲＡＭ７５は、ＣＰＵ７１のワークエリアなどとして機能するものであり、ユーザメモリ７６は、上述したアルバム用の画像データや、後述の暗号化されたコンテンツ情報が書き込まれるものである。
【００４６】
暗号化されたコンテンツ情報は、メモリカード５７に格納することもできる。その場合、メモリカード５７としてメモリースティック（登録商標）を用いる場合でも、上述した著作権保護対応の“マジックゲートメモリースティック”（登録商標）ではなく、著作権保護に対応していないメモリースティック（登録商標）を用いることができる。
【００４７】
バス７２には、表示制御部９１を介してＬＣＤ５１が接続されるとともに、ＤＡ変換回路９３および音声増幅回路９５を介してスピーカ５３が接続される。また、タッチパネル５２が、座標検出部９２を介してバス７２に接続されるとともに、図３に示したインデックスボタン５４ａなどを含むキー操作部５４が、入力インタフェース９４を介してバス７２に接続される。
【００４８】
一方、バス７２に、ＢＢＰ８１が接続され、ＢＢＰ８１に、送受信部８２が接続され、送受信部８２に、上記のアンテナ５５が接続される。
【００４９】
表示端末５０からベース装置１０に送信される信号は、ＢＢＰ８１でベースバンド処理された後、送受信部８２で変調され、無線周波数の信号に変換されて、送受信部８２からアンテナ５５を介してベース装置１０に送信される。
【００５０】
また、ベース装置１０から表示端末５０に送信された無線周波数の信号は、アンテナ５５を介して送受信部８２で受信され、送受信部８２で周波数変換され、復調された後、ＢＢＰ８１でベースバンド処理されて、バス７２に取り込まれる。
【００５１】
（サーバ装置の構成：図６）
図６は、コンテンツ送信元のサーバ装置１００の一例を示す。
【００５２】
サーバ装置１００は、ＣＰＵ１０１を備え、そのバス１０２に、プログラム記憶装置部１０３、コンテンツ記憶装置部１０４、およびメインメモリ１０５などが接続される。
【００５３】
プログラム記憶装置部１０３には、ＣＰＵ１０１が実行すべき後述のコンテンツ送信処理ルーチンやコンテンツ暗号化プログラムなどがロードされ、コンテンツ記憶装置部１０４には、各種のコンテンツ情報、すなわち、音楽ファイルや画像ファイルなどのデータファイル、またはゲームソフトや各種アプリケーションソフトなどのプログラムファイルが格納される。
【００５４】
また、インターネットとの接続用に、バス１０２には、インタフェース１０６を介してモデム１０７が接続される。
【００５５】
（コンテンツ情報の送信、取得、再生：図７および図８）
上述したコンテンツ送受信システムでは、以下の方法によって、コンテンツ情報が、送信元のサーバ装置１００からクライアント側の端末装置９０に送信され、端末装置９０において取得される。
【００５６】
ただし、上述した例の端末装置９０では、表示端末５０がベース装置１０を介してサーバ装置１００との間で、以下のような送受信を行う。
【００５７】
図７の左側に、表示端末５０のＣＰＵ７１が行うコンテンツ取得処理ルーチンの一例を示し、右側に、サーバ装置１００のＣＰＵ１０１が行うコンテンツ送信処理ルーチンの一例を示す。
【００５８】
このコンテンツ取得処理ルーチン１３０およびコンテンツ送信処理ルーチン１４０では、ユーザの接続操作によって表示端末５０がインターネット１１０を介してサーバ装置１００に接続することによって、それぞれの処理を開始する。
【００５９】
そして、クライアント側のコンテンツ取得処理ルーチン１３０では、まずステップ１３１で、サーバ側にコンテンツ要求を送信する。
【００６０】
サーバ側のコンテンツ送信処理ルーチン１４０では、ステップ１４１で、このコンテンツ要求を受信して、クライアント側にＡＣＫ（ａｃｋｎｏｗｌｅｄｇｅｍｅｎｔ）を送信し、さらにステップ１４２で、クライアント側にシリアル番号の送信を要求する。
【００６１】
クライアント側のコンテンツ取得処理ルーチン１３０では、コンテンツ要求後、ステップ１３２で、サーバ側からのＡＣＫを受信し、さらにステップ１３３で、サーバ側からのシリアル番号の送信要求を受信して、表示端末５０のフラッシュメモリ７４に保持されているシリアル番号をサーバ側に送信する。
【００６２】
この場合、シリアル番号を、ＳＳＬ（Ｓｅｃｕｒｅ　Ｓｏｃｋｅｔｓ　Ｌａｙｅｒ）などの方法によって暗号化して送信するように、システムを構成してもよい。
【００６３】
サーバ側のコンテンツ送信処理ルーチン１４０では、シリアル番号の送信要求後、ステップ１４３で、クライアント側からのシリアル番号を受信して、クライアント側にＡＣＫを送信し、さらにステップ１４４で、受信したシリアル番号を確認する。
【００６４】
シリアル番号が暗号化されて送信される場合には、このとき、その暗号化されたシリアル番号を復号化する。
【００６５】
さらに、サーバ側のコンテンツ送信処理ルーチン１４０では、ステップ１４５で、プログラム記憶装置部１０３にロードされているコンテンツ暗号化プログラムを起動させ、コンテンツ記憶装置部１０４からクライアント側が要求するコンテンツ情報を読み出して、そのコンテンツ情報を、受信したシリアル番号の値を鍵として暗号化し、次にステップ１４６で、その暗号化したコンテンツ情報をクライアント側に送信する。
【００６６】
上述したように、この場合の暗号アルゴリズムとしては、共通鍵暗号化で一般に用いられているＤＥＳ（Ｄａｔａ　Ｅｎｃｒｙｐｔｉｏｎ　Ｓｔａｎｄａｒｄ）暗号アルゴリズムなどを用いることができる。
【００６７】
クライアント側のコンテンツ取得処理ルーチン１３０では、ステップ１３３でシリアル番号を送信し、ステップ１３４でサーバ側からのＡＣＫを受信した後、ステップ１３５で、上記の暗号化されたコンテンツ情報を受信して、サーバ側にＡＣＫを送信し、さらにステップ１３６で、その受信した暗号化されたコンテンツ情報を、図５に示したユーザメモリ７６またはメモリカード５７に格納して、コンテンツ取得処理を終了する。
【００６８】
サーバ側のコンテンツ送信処理ルーチン１４０では、コンテンツ情報の送信後、ステップ１４７で、クライアント側からのＡＣＫを受信して、コンテンツ送信処理を終了する。
【００６９】
表示端末５０では、このように取得した暗号化されたコンテンツ情報を、以下のような方法で、復号化し、再生することができる。
【００７０】
図８は、表示端末５０のＣＰＵ７１が行うコンテンツ再生処理ルーチンの一例を示す。このコンテンツ再生処理ルーチン１５０では、上記のように暗号化されたコンテンツ情報をユーザメモリ７６またはメモリカード５７に格納した後、ユーザの再生操作によって、まずステップ１５１で、プログラムＲＯＭ７３に書き込まれているコンテンツ復号化プログラムを起動させ、次にステップ１５２で、ユーザメモリ７６またはメモリカード５７から暗号化されたコンテンツ情報を読み出し、次にステップ１５３で、その暗号化されたコンテンツ情報を、フラッシュメモリ７４に保持されている自己のシリアル番号を鍵として復号化し、次にステップ１５４で、その復号化したコンテンツ情報を再生する。
【００７１】
この場合の再生とは、コンテンツ情報が音楽ファイルや画像ファイルなどのデータファイルである場合には、音楽や画像などとして出力し、コンテンツ情報がゲームソフトや各種アプリケーションソフトなどのプログラムファイルである場合には、そのプログラムを実行するものである。
【００７２】
〔他の実施形態〕
端末装置としては、シリアル番号などの固有情報を有し、インターネットなどの通信ネットワークに接続する機能を有するものであれば、上述したようなベース装置および表示端末からなる端末装置に限らない。
【００７３】
【発明の効果】
上述したように、この発明によれば、コンテンツ情報を要求した端末装置でダウンロードされたコンテンツ情報が他の端末装置に移動しても、当該のコンテンツ情報は、これを要求した端末装置に固有の情報を鍵として暗号化されていて、他の端末装置では復号化することができないので、コンテンツ情報を十分に保護することができる。
【００７４】
したがって、有料コンテンツ情報の配布に大きく寄与し、高品質・高価値のコンテンツ情報の配信が促進される。
【００７５】
しかも、記録媒体として、特殊な記録メディアを必要としないとともに、端末装置にも、コンテンツ復号化プログラムなどのソフトウェア以外に特別な回路を必要としない。
【図面の簡単な説明】
【図１】この発明のコンテンツ送受信システムの一実施形態の概要を示す図である。
【図２】端末装置の一例の一部を構成するベース装置の外観構成を示す図である。
【図３】端末装置の一例の一部を構成する表示端末の外観構成を示す図である。
【図４】端末装置の一例の一部を構成するベース装置の機能ブロック構成を示す図である。
【図５】端末装置の一例の一部を構成する表示端末の機能ブロック構成を示す図である。
【図６】コンテンツ送信元のサーバ装置の一実施形態の機能ブロック構成を示す図である。
【図７】コンテンツ取得処理およびコンテンツ送信処理の一例を示す図である。
【図８】コンテンツ再生処理の一例を示す図である。
【符号の説明】
主要部については図中に全て記述したので、ここでは省略する。
【図１】
2004048540.tif 000003
【図２】
2004048540.tif 000004
【図３】
2004048540.tif 000005
【図４】
2004048540.tif 000006
【図５】
2004048540.tif 000007
【図６】
2004048540.tif 000008
【図７】
2004048540.tif 000009
【図８】
2004048540.tif 000010